(57)【要約】      （修正有）【課題】使用勝手を向上させることができる汗取りパット取付具を提供するものである。【解決手段】汗取りパット取付具Ｔは、クラウン部１ｂの下方内周縁に沿うように位置する長手形状部材１５と、この長手形状部材に接続され、長手形状部材の長手方向から側方に突出し一方の側縁部１ａ1に向かう第１の凸状部材と、長手形状部材に接続され、長手形状部材の長手方向から側方に突出し他方の側縁部１ａ2に向かう第２の凸状部材、鍔１ａの裏面に当接した第１の凸状部材を鍔の一方の側縁部１ａ1に取り付ける第１のクリップ１３と、鍔１ａの裏面に当接した第２の凸状部材を鍔の他方の側縁部１ａ2に取り付ける第２のクリップ１４と、長手形状部材に取り付けられると共に、汗取りパットに取り付けられた第１の面状ファスナ２１に接合される面状ファスナ１６とを有するものである。【選択図】図７
2008214823.tif 000002
【特許請求の範囲】
【請求項１】
前方に鍔を有し、頭に被せるクラウン部を備えた帽子に、汗取りパットを取り付ける汗取りパット取付具であって、
前記鍔の外形縁部は、平面視、一方の側縁部と、他方の側縁部と、この他方の側縁部と前記一方の側縁部とを接続する接続縁部とを有し、
前記クラウン部の下方内周縁に沿うように位置する長手形状部材と、この長手形状部材に接続され、前記長手形状部材の長手方向から側方に突出し前記一方の側縁部に向かう第１の凸状部材と、前記長手形状部材に接続され、前記長手形状部材の長手方向から側方に突出し前記他方の側縁部に向かう第２の凸状部材と、
前記鍔の裏面に当接した前記第１の凸状部材を前記鍔の前記一方の側縁部に取り付ける第１のクリップと、
前記鍔の裏面に当接した前記第２の凸状部材を前記鍔の前記他方の側縁部に取り付ける第２のクリップと、
前記長手形状部材に取り付けられると共に、前記汗取りパットに取り付けられた第１の面状ファスナに接合される面状ファスナと、
を有することを特徴とする汗取りパット取付具。
【請求項２】
長手形状部材は、第１の凸状部材を有する第１の長手形状部材と、第２の凸状部材を有する第２の長手形状部材とに分離可能に構成され、帽子の裏面側から見て、前記第２の長手形状部材の上に前記第１の長手形状部材が位置し、
前記第１の長手形状部材には並設する第１開口部、第１’開口部が、前記第２の長手形状部材には第２開口部が、それぞれ設けられ、
この第２開口部に前記第１の長手形状部材の先端が上から挿入されると共に、前記第１の長手形状部材の先端が前記第２の長手形状部材の下に、
前記第２の長手形状部材の先端が第１開口部の下から挿入されると共に、前記第２の長手形状部材の先端が前記第１’開口部の上から挿入されて前記第１の長手形状部材の下に、位置していることを特徴とする請求項１記載の汗取りパット取付具。
【請求項３】
第２の長手形状部材の先端であって、前記第２の長手形状部材の長手方向を横断する幅方向に張り出す張り出し部が設けられ、
この張り出し部に前記第２の長手形状部材の長手方向に沿って折り部を形成し、該折り部を第１開口部及び第１’開口部へ挿入し、挿入後、前記折り部の折りを戻して、前記張り出し部を前記第１’開口部から張り出させて前記第２の長手形状部材の先端が前記第１’開口部から離脱するのを防止することを特徴とする請求項２記載の汗取りパット取付具。
【発明の詳細な説明】
【技術分野】
【０００１】
本発明は、汗取りパット取付具に係り、特に、使用勝手を向上させることができる汗取りパット取付具に関する。
【背景技術】
【０００２】
従来、例えば、汗取りパットを帽子に装着して、額の汗を吸収するものがある。
これは、帽子のクラウン部の下方内周縁に面状ファスナー（帽子の側の面状ファスナー）を両面テープを介して取り付け、該帽子の側の面状ファスナーに接合する面状ファスナー（汗取りパットの側の面状ファスナー）を汗取りパットの裏面に設けたもので、帽子装着時は、支障がない。
しかし、帽子のクラウン部の下方内周縁の材質により、面状ファスナー（帽子の側の面状ファスナー）を両面テープを介して取り付けることができなかったり、また、取り付けることができるとしても、汗取りパットを帽子から外し、帽子を洗濯する場合、帽子の側の面状ファスナーに、洗濯する際の塵等が付着するため、付着した塵等を帽子の側の面状ファスナーから離脱しなければならず、離脱作業を伴う分、使用勝手が良くないという問題点があった。
この問題点をなくすために、帽子のクラウン部の下方内周縁に付けた汗よけの帯に差し込む差し込み片を汗取りパットに設けたものがある（例えば、特許文献１参照）。
【特許文献１】特開２００２−１３０２０号公報
【発明の開示】
【発明が解決しようとする課題】
【０００３】
しかし、汗取りパットは差し込み片を介して帽子の汗よけの帯に差し込んだだけであるため、該帽子をかぶる際、汗取りパットが額に当たって、汗取りパットが位置ずれを起こすため、汗取りパットの位置調整を行った後、再度、帽子をかぶり直さねばならず使用勝手が良くないという問題点があった。
【０００４】
本発明は、上記の問題点を除去するようにした汗取りパット取付具を提供することを目的とする。
【課題を解決するための手段】
【０００５】
本発明の汗取りパット取付具は、前方に鍔を有し、頭に被せるクラウン部を備えた帽子に、汗取りパットを取り付ける汗取りパット取付具であって、前記鍔の外形縁部は、平面視、一方の側縁部と、他方の側縁部と、この他方の側縁部と前記一方の側縁部とを接続する接続縁部とを有し、前記クラウン部の下方内周縁に沿うように位置する長手形状部材と、この長手形状部材に接続され、前記長手形状部材の長手方向から側方に突出し前記一方の側縁部に向かう第１の凸状部材と、前記長手形状部材に接続され、前記長手形状部材の長手方向から側方に突出し前記他方の側縁部に向かう第２の凸状部材と、前記鍔の裏面に当接した前記第１の凸状部材を前記鍔の前記一方の側縁部に取り付ける第１のクリップと、前記鍔の裏面に当接した前記第２の凸状部材を前記鍔の前記他方の側縁部に取り付ける第２のクリップと、前記長手形状部材に取り付けられると共に、前記汗取りパットに取り付けられた第１の面状ファスナに接合される面状ファスナとを有するものである。
【０００６】
また、請求項２記載の汗取りパット取付具は、請求項１記載の汗取りパット取付具において、長手形状部材は、第１の凸状部材を有する第１の長手形状部材と、第２の凸状部材を有する第２の長手形状部材とに分離可能に構成され、帽子の裏面側から見て、前記第２の長手形状部材の上に前記第１の長手形状部材が位置し、前記第１の長手形状部材には並設する第１開口部、第１’開口部が、前記第２の長手形状部材には第２開口部が、それぞれ設けられ、この第２開口部に前記第１の長手形状部材の先端が上から挿入されると共に、前記第１の長手形状部材の先端が前記第２の長手形状部材の下に、前記第２の長手形状部材の先端が第１開口部の下から挿入されると共に、前記第２の長手形状部材の先端が前記第１’開口部の上から挿入されて前記第１の長手形状部材の下に、位置しているものである。
【０００７】
また、請求項３記載の汗取りパット取付具は、請求項２記載の汗取りパット取付具において、第２の長手形状部材の先端であって、前記第２の長手形状部材の長手方向を横断する幅方向に張り出す張り出し部が設けられ、この張り出し部に前記第２の長手形状部材の長手方向に沿って折り部を形成し、該折り部を第１開口部及び第１’開口部へ挿入し、挿入後、前記折り部の折りを戻して、前記張り出し部を前記第１’開口部から張り出させて前記第２の長手形状部材の先端が前記第１’開口部から離脱するのを防止するものである。
【発明の効果】
【０００８】
請求項１記載の汗取りパット取付具によれば、汗取りパット取付具は第１の凸状部材及び第２の凸状部材を介して第１のクリップ及び第２のクリップにより取り付けられるため、取り付けが簡単で、しかも、汗取りパット取付具を介して帽子に汗取りパットを取り付けて帽子をかぶっても、汗取りパットの位置ずれもなく、更に、汗取りパット取付具を外せば、帽子の側に第１の面状ファスナ及び面状ファスナはなく、帽子のみを洗濯することができ、洗濯する際の塵等が第１の面状ファスナ及び面状ファスナに付着するのを防ぐことができる等使用勝手を向上させることができる。
【０００９】
また、請求項２記載の汗取りパット取付具によれば、上述した請求項１記載の発明の効果に加え、長手形状部材は、第１の凸状部材を有する第１の長手形状部材と、第２の凸状部材を有する第２の長手形状部材とに分離可能に構成され、前記第２の長手形状部材の上に前記第１の長手形状部材が位置し、第２開口部に前記第１の長手形状部材の先端が挿入されると共に、前記第１の長手形状部材の先端が前記第２の長手形状部材の下に、前記第２の長手形状部材の先端が第１開口部の下から挿入されると共に、前記第１’開口部の上から挿入されて前記第１の長手形状部材の下に、位置しているため、第１の長手形状部材又は第２の長手形状部材をスライドさせて長手形状部材の長さを調整して装着される帽子に合わせることができ、しかも、第１の長手形状部材の先端が第２の長手形状部材の下に、第２の長手形状部材の先端が第１開口部の下に、それぞれ位置し、露出しないため、それぞれの先端を保護することができる。
【００１０】
また、請求項３記載の汗取りパット取付具によれば、上述した請求項２記載の発明の効果に加え、第２の長手形状部材の先端であって、前記第２の長手形状部材の長手方向を横断する幅方向に張り出す張り出し部が設けられ、この張り出し部を前記第２の長手形状部材の長手方向に沿って折り部を形成し、該折り部を第１開口部及び第１’開口部へ挿入し、挿入後、前記折り部の折りを戻して、前記張り出し部を前記第１’開口部から張り出させるため、前記第２の長手形状部材の先端が前記第１’開口部から離脱するのを防止することができる。
【発明を実施するための最良の形態】
【００１１】
本発明の汗取りパット取付具の一実施例を図面を参照して説明する。
図１乃至図５において、Ｔは汗取りパット取付具で、汗取りパット取付具Ｔは、帽子１に、汗取りパット２を取り付けるものである。
帽子１は、前方に鍔１ａを有し、頭に被せるクラウン部１ｂを備え、鍔１ａの外形縁部は、平面視、一方の側縁部１ａ1と、他方の側縁部１ａ2と、この他方の側縁部１ａ2と一方の側縁部１ａ1とを接続する接続縁部１ａ3とを有している。
【００１２】
汗取りパット取付具Ｔは、クラウン部１ｂの下方内周縁（例えば、汗よけの帯１ｃ）に沿うように位置する長手方向に長い長手形状部（長手形状部は、本実施例では、第１の長手形状部１１と第２の長手形状部１２とに分離可能に構成している。）と、第１の長手形状部１１に接続され、第１の長手形状部１１の長手方向から側方に突出し一方の側縁部１ａ1に向かう第１の凸状部材１１ａと、第２の長手形状部１２に接続され、第２の長手形状部１２の長手方向から側方に突出し他方の側縁部１ａ2に向かう第２の凸状部材１２ａとを備えている。第１の長手形状部１１及び第２の長手形状部１２は、共に、厚みが薄い紙、プラスチック製のフィルム等で形成されている。
なお、紙の場合、水をはじく撥水加工を施したコートがコーティングされていることが望ましい。
【００１３】
また、１３は第１のクリップで、第１のクリップ１３は、鍔１ａの裏面に当接した第１の凸状部材１１ａを鍔１ａの一方の側縁部１ａ1に取り付けるものである。１４は第２のクリップで、第２のクリップ１４は、鍔１ａの裏面に当接した第２の凸状部材１２ａを鍔１ａの他方の側縁部１ａ2に取り付けるものである。
また、２１は汗取りパット２の汗を吸収する面の裏面側に取り付けられた第１の面状ファスナで、１３’は長手形状部（本実施例では、第１の長手形状部１１）に取り付けられると共に、汗取りパット２に取り付けられた第１の面状ファスナ２１に接合される第２の面状ファスナで、１４’は長手形状部（本実施例では、第２の長手形状部１２）に取り付けられると共に、汗取りパット２に取り付けられた第１の面状ファスナ２１に接合される第２の面状ファスナである。
【００１４】
従って、上述した汗取りパット取付具Ｔによれば、汗取りパット取付具Ｔは第１の凸状部材１１ａ及び第２の凸状部材１２ａを介して第１のクリップ１３及び第２のクリップ１４により取り付けられるため、取り付けが簡単で、しかも、汗取りパット取付具Ｔを介して帽子１に汗取りパット２を取り付けて帽子１をかぶっても、汗取りパット２の位置ずれもなく、更に、汗取りパット取付具Ｔを外せば、帽子１の側に第１の面状ファスナ２１及び第２の面状ファスナ１３’、１４’はなく、帽子１のみを洗濯することができ、洗濯する際の塵等が第１の面状ファスナ２１及び第２の面状ファスナ１３’、１４’に付着するのを防ぐことができる等使用勝手を向上させることができる。
【００１５】
また、長手形状部材は、上述したように、第１の凸状部材１１ａを有する長手方向に長い第１の長手形状部材１１と、第２の凸状部材１２ａを有する長手方向に長い第２の長手形状部材１２とに分離可能に構成され、帽子１の裏面側から見て、第２の長手形状部材１２の上に第１の長手形状部材１１が位置している（図１参照）。
第１の長手形状部材１１には並設する第１開口部１１ｂ、第１’開口部１１ｃが、第２の長手形状部材１２には第２開口部１２ｂが、それぞれ設けられている。
なお、第１開口部１１ｂは第１’開口部１１ｃより第１の長手形状部材１１の先端に近い側に位置し、第１開口部１１ｂ及び第１’開口部１１ｃは、第１の長手形状部材１１の先端より、第１の凸状部材１１ａに近い側に位置し、また、第２開口部１２ｂは、第２の長手形状部材１２の先端より、第２の凸状部材１２ａに近い側に位置している。
そして、図１に示すように、第２開口部１２ｂに第１の長手形状部材１１の先端が上から挿入されると共に、第１の長手形状部材１１の先端が第２の長手形状部材１２の下に  位置している。また、第２の長手形状部材１２の先端が第１開口部１１ｂの下から挿入されると共に、第２の長手形状部材１２の先端が第１’開口部１１ｃの上から挿入されて第１の長手形状部材１１の下に位置している。
その結果、第１の長手形状部材１１又は第２の長手形状部材１２をスライドさせて長手形状部材の長さを調整して装着される帽子１に合わせることができ、しかも、第１の長手形状部材１１の先端が第２の長手形状部材１２の下に、第２の長手形状部材１２の先端が第１開口部１１ｂの下に、それぞれ位置し、露出しないため、それぞれの先端を保護することができる。
【００１６】
また、図６（ａ）に示すように、第２の長手形状部材１２の先端であって、第２の長手形状部材１２の長手方向を横断する幅方向に張り出す張り出し部１２ｃを設け、この張り出し部１２ｃに第２の長手形状部材１２の長手方向に沿って折り部１２ｄを形成し、該折り部１２ｄを第１開口部１１ｂ及び第１’開口部１１ｃへ挿入し、挿入後、図６（ｃ）に示すように、折り部１２ｄの折りを戻して、張り出し部１２ｃを第１’開口部１１ｃから張り出させて第２の長手形状部材１２の先端が第１’開口部１１ｃから離脱するのを防止するようにすることもできる。
【００１７】
また、上述した実施例にあっては、第１の長手形状部材１１と第２の長手形状部材１２とを分離可能に構成しているが、場合により、図７に示すように、第１の長手形状部材１１と第２の長手形状部材１２を一体にしてスライドできない長手形状部材１５としても良い。
この場合、上述した実施例のような第１開口部１１ｂ、第１’開口部１１ｃ、第２開口部１２ｂはなく、長手形状部材１５には、汗取りパット２に取り付けられた第１の面状ファスナ２１に接合される面状ファスナ１６が設けられている。また、１５ａは、長手形状部１５に接続され、長手形状部材１５の長手方向から側方に突出し一方の側縁部１ａ1に向かう第１の凸状部材であり、１５ｂは、長手形状部材１５に接続され、手形状部１５の長手方向から側方に突出し他方の側縁部１ａ2に向かう第２の凸状部材である。
なお、この実施例においては、上述した図１乃至図６記載のものと同一部分に同一符号を付してその説明を省略する。
【図面の簡単な説明】
【００１８】
【図１】図１は、本発明の一実施例の汗取りパット取付具が帽子に装着され、該帽子の裏面側から見た概略的斜視図である。
【図２】図２は、図１の帽子を該帽子の裏面側から見た概略的斜視図である。
【図３】図３は、図１の帽子の装着状態の概略的断面図である。
【図４】図４（ａ）は、図１の汗取りパット取付具の取り付け状態を示す概略的断面図であり  、図４（ｂ）は、図４（ａ）の汗取りパット取付具に汗取りパットが取り付けられる状態を示す概略的断面図である。
【図５】図５（ａ）は、図１の汗取りパット取付具を取り外して示す概略的平面図であり、図図５（ｂ）は、図５（ａ）の５−５線による概略的拡大断面図であり、図５（ｃ）は、図５（ａ）の第１の長手形状部の先端を第２の長手形状部の開口部に、図５（ａ）の第２の長手形状部の先端を第１の長手形状部の開口部に、それぞれ挿入して構成された長手形状部の概略的平面図である。
【図６】図６（ａ）は、図５の汗取りパット取付具の他の実施例の汗取りパット取付具の概略的平面図であり、図６（ｂ）は、図６（ａ）の６−６線による概略的拡大断面図であり、図６（ｃ）は、図６（ａ）の第１の長手形状部の先端を第２の長手形状部の開口部に、図６（ａ）の第２の長手形状部の先端を第１の長手形状部の開口部に、それぞれ挿入して構成された長手形状部の概略的平面図である。
【図７】図７（ａ）は、図６の汗取りパット取付具の他の実施例の汗取りパット取付具が帽子に装着され、該帽子の裏面側から見た概略的斜視図である。
【符号の説明】
【００１９】
Ｔ          汗取りパット取付具
１ａ        鍔
１ａ1      一方の側縁部
１ａ2      他方の側縁部
１ｂ       クラウン部
１３       第１のクリップ
１４       第２のクリップ
１５       長手形状部材
１６       面状ファスナ
１７       第１の凸状部材
１８       第２の凸状部材
２１       第１の面状ファスナ
【図１】
2008214823.tif 000003
【図２】
2008214823.tif 000004
【図３】
2008214823.tif 000005
【図４】
2008214823.tif 000006
【図５】
2008214823.tif 000007
【図６】
2008214823.tif 000008
【図７】
2008214823.tif 000009